(57)【要約】      （修正有）【課題】発光装置の上表面に対して平行に重ね合わさって視認できる像のみではなく、上表面に対して斜め方向又は垂直方向に面が複数連続して配置しているように視認できる発光装置を提供する。【解決手段】光源部材１０と、下面側に位置する鏡面部材３０と、上面側に位置し、進行してきた光の一部を透過させて上表面側から出射し、かつその他の光を下面方向に反射するハーフミラー４０と、光源部材１０から入射された光を内側面の一部又は全部から光を出射する導光部材２０と、を備えており、鏡面部材３０とハーフミラー４０は、導光部材２０の内側面を挟むように位置されており、光源部材１０は、導光部材２０の内側面以外の面を向いて配置され、かつ光源部材１０からの光が内側面以外の面に入射される。【選択図】図１
2015034949.tif 000002
【特許請求の範囲】
【請求項１】
光源部材と、
下面側に位置する鏡面部材と、
上面側に位置し、進行してきた光の一部を透過させて上表面側から出射し、かつその他の光を下面方向に反射するハーフミラーと、
前記光源部材から入射された光を内側面の一部又は全部から前記光を出射する導光部材と、を備えており、
前記鏡面部材とハーフミラーは、前記内側面の上表面側及び下表面側に位置しており、
前記光源部材は、前記導光部材の前記内側面以外の面を向いて配置され、かつ前記光源部材からの光が前記内側面以外の面に入射されることを特徴とする発光装置。
【請求項２】
前記光源部材は、前記導光部材の上表面又は下表面に対向するように配置されており、前記光源部材からの光を前記内側面側に反射するように外側面が斜面である外側斜面に形成されていることを特徴とする請求項１に記載の発光装置。
【請求項３】
前記光源部材は、前記導光部材の前記上表面又は前記下表面に対向するように配置されているのに代えて、外側斜面に対向するように配置されていることを特徴とする請求項２に記載の発光装置。
【請求項４】
前記導光部材の前記内側面の上表面側又は下表面側には、光源部材配置面が設けられてなり、
前記光源部材は、前記光源部材配置面に対向するように前記外側面側に向かって配置されていることを特徴とする請求項１に記載の発光装置。
【請求項５】
前記光源部材配置面は、前記内側面に対して前記外側面側に凹んで配置されている面であることを特徴とする請求項４に記載の発光装置。
【請求項６】
前記光源部材配置面は、外周斜面であることを特徴とする請求項５に記載の発光装置。
【請求項７】
前記光源部材からの光を所定方向に反射させるために前記外側面が斜面に形成されている外周斜面であることを特徴とする請求項４から６のいずれか１項に記載の発光装置。
【請求項８】
前記光源部材は、前記光源部材配置面に対向するように配置するのに代えて、前記光源部材配置面に対向する前記外側面に対向するように配置されていることを特徴とする請求項４に記載の発光装置。
【請求項９】
前記導光部材は、前記内側面の上表面側又は下表面側に前記内側面の円周方向に沿って凹溝が形成されるように、断面コの字状に形成されてなり、
前記凹溝には、前記上表面方向又は前記下表面方向に対向するように前記光源部材が配置されていることを特徴とする請求項１記載の発光装置。
【請求項１０】
前記導光部材は、前記上表面、前記下表面及び前記外側面の少なくとも１面以上が斜面に形成されていることを特徴とする請求項９に記載の発光装置。
【請求項１１】
前記導光部材の前記内側面側又は前記外側面側に突出して形成され、上表面側又は下表面側に前記光源部材の光を入射可能な延出部入射面を有する光入射用延出部と、を有することを特徴とする請求項１に記載の発光装置。
【請求項１２】
前記光入射用延出部は、上表面側又は下表面側に形成された前記延出部入射面と反対側が球面又は曲面に形成されていることを特徴とする請求項１１に記載の発光装置。
【請求項１３】
前記光源部材からの光を前記導光部材に誘導する誘導路を備えており、
前記誘導路の進行方向は、前記導光部材の内側面以外の方向を向いていることを特徴とする請求項１に記載の発光装置。
【請求項１４】
前記導光部材は、リング状に形成されており、
前記誘導路の方向は、リング状の前記導光部材の接線方向であることを特徴とする請求項１３に記載の発光装置。
【請求項１５】
前記鏡面部材及び前記ハーフミラーのそれぞれの向かい合う面のいずれか又は両方が、中央が膨らんでいるか又は凹んでいる湾曲面からなることを特徴とする請求項１から１４のいずれか１項に記載の発光装置。
【発明の詳細な説明】
【技術分野】
【０００１】
本発明は、発光装置に関する。
【背景技術】
【０００２】
従来から奥行きのある像を表示する発光装置が種々提案されている。例えば、出射方向と一致する厚さ方向に対して垂直である方向を向く入射面、出射方向後方に位置しており表示させるべき像の形状とされた反射領域が形成された反射面、及び出射方向前方に位置する出射面を有する導光板と、上記入射面の正面に位置する光源と、を備えており、上記入射面から入射した光を上記反射面によって出射方向前方へと反射させることにより、上記出射面を透して任意の像を表示する構成とされた表示装置であって、上記導光板に対して出射方向後方に位置する全反射面と、上記導光板に対して出射方向前方に位置しており、出射方向後方から進行してきた光の一部を出射方向後方に反射し、かつその他の部分を出射方向前方に透過させる半反射半透過層と、が設けられていることを特徴する発光装置が提案されている。（特許文献１）。
【０００３】
この発光装置によれば、上記反射領域によって反射された光は、上記半反射半透過層へと向かう。この光の一部は、上記半反射半透過層を透過し、その他は、上記半反射半透過層によって反射される。反射された光は、上記反射領域または上記全反射面によって反射される。この光の一部が上記半反射半透過層を透過し、その他が上記半反射半透過層によって再び反射される。このように、上記半反射半透過層による反射および透過と、上記全反射面による反射とにより、上記導光板に潜像された像は、あたかも上記導光板の厚さ方向において等ピッチに重ねあわされた複数の像として顕像される。したがって、上記表示装置の薄型化をはかりつつ、奥行きのある像を表示することができる、という効果がある。
【０００４】
しかし、従来の奥行きがあるように像を表示する発光装置は、発光装置の表示面と平行に表示された表示情報や模様を複数重ね合わせられたように表示させることしかできなかった。例えば、表示面と垂直方向に見える像を表示することができなかった。
【先行技術文献】
【特許文献】
【０００５】
【特許文献１】特開２００８−１４５６７５号公報
【発明の開示】
【発明が解決しようとする課題】
【０００６】
本発明は、このような課題を鑑みされたものであり、発光装置の上表面に対して平行に重ね合わさって視認できる像のみではなく、上表面に対して斜め方向又は垂直方向に面が複数連続して配置しているように視認できる発光装置を提供することを主目的とする。
【課題を解決するための手段】
【０００７】
本発明は、上述の主目的を達成するために、以下の手段を採った。
【０００８】
本発明にかかる発光装置は、
光源部材と、
下面側に位置する鏡面部材と、
上面側に位置し、進行してきた光の一部を透過させて上表面側から出射し、かつその他の光を下面方向に反射するハーフミラーと、
前記光源部材から入射された光を内側面の一部又は全部から前記光を出射する導光部材と、を備えており、
前記鏡面部材とハーフミラーは、前記内側面の上表面側及び下表面側に位置しており、
前記光源部材は、前記導光部材の前記内側面以外の面を向いて配置され、かつ前記光源部材からの光が前記内側面以外の面に入射されることを特徴とする。
【０００９】
本発明の発光装置によれば、鏡面部材とハーフミラーが下面側と上面側とにそれぞれ位置される。これにより、ハーフミラーの外部から視認した場合に、導光部材の内側面から発する光がハーフミラーに対して垂直方向又は斜めの面の像としてあたかも重なっているかのように表示させることができる。従来のように、上表面に対して平行に見える面が奥行き方向へ重ね合わされたように見えるのではなく、上表面に対して垂直又は斜めに配置された面が垂直方向に連続して配置されているように見える。よって、従来と比較してより立体的な印象を有する像として視認させることができる。また、内側面を視認させることにより、周囲を取り囲むように導光部材を配置した場合には、光が連なって見えるため、奥行きがあるトンネル状に見せることができる。この際に、光源から導光部材内に入射される光が直接に内側面から出射しないように、前記導光部材の前記内側面以外の面を向いて配置され、かつ前記光源部材からの光が前記内側面以外の面に入射されるようにしてあるので、光源の光により一部が明るく光るという現象を低減させることができるとともに内側面から出射される光をより均一にすることができる。
【００１０】
また、本発明にかかる発光装置において、前記光源部材は、前記導光部材の上表面又は下表面に対向するように配置されており、前記光源部材からの光を前記内側面側に反射するように外側面が斜面である外側斜面に形成されていることを特徴とするものであってもよい。かかる構造を採用することによって、光源部材からの光が上表面又は下表面から入射し、一旦外側面で反射した後に直接又は間接的に内側面へ到達することになる。そのため、光源の光により内側面の一部が明るく光るという現象を低減させることができるとともに内側面から出射される光をより均一にすることができる。
【００１１】
さらに、本発明にかかる発光装置において、前記光源部材は、前記導光部材の前記上表面又は前記下表面に対向するように配置されているのに代えて、外側斜面に対向するように配置されていることを特徴とするものであってもよい。かかる構造を採用することによって、光源部材からの光が斜面に形成されている外側斜面から入射し、上表面又は下表面で反射した後に直接又は間接的に内側面へ到達することになる。そのため、光源の光により内側面の一部が明るく光るという現象を低減させることができるとともに内側面から出射される光をより均一にすることができる。
【００１２】
さらに、本発明にかかる発光装置において、前記導光部材の前記内側面の上表面側又は下表面側には、光源部材配置面が設けられてなり、前記光源部材は、前記光源部材配置面に対向するように前記外側面側に向かって配置されていることを特徴とするものであってもよい。かかる構成を採用することによって、内側面の上表面側又は下表面側の形成されている光源部材配置面から光が入射し、外側面で反射した後に直接又は間接的に内側面へ到達することになる。そのため、光源の光により内側面の一部が明るく光るという現象を低減させることができるとともに内側面から出射される光をより均一にすることができる。
【００１３】
さらに、本発明にかかる発光装置において前記光源部材配置面は、前記内側面に対して前記外側面側に凹んで配置されている面であることを特徴とするものであってもよい。かかる構成を採用することによって、光源部材を配置する領域が確保されるので、光源部材を配置する際に枠に改めて載置領域を確保する必要がなくなる。
【００１４】
さらに、本発明にかかる発光装置において、前記光源部材配置面は、外周斜面であることを特徴とするものであってもよい。光源部材配置面を斜面とすることによって、光源部材からの光が反射する方向を調整することができ、光が内側面へ直接到達する可能性を低減させることができる。そのため、光源の光により内側面の一部が明るく光るという現象を低減させることができるとともに内側面から出射される光をより均一にすることができる。
【００１５】
さらに、本発明にかかる発光装置において、前記光源部材からの光を所定方向に反射させるために前記外側面が斜面に形成されている外周斜面ことを特徴とするものであってもよい。外側面を斜面に形成することで、外側面に入射する光の反射方向を任意に設定することができる。そのため、光が反射する方向を調整することができ、光が内側面へ直接到達する可能性を低減させることができる。そのため、光源の光により内側面の一部が明るく光るという現象を低減させることができるとともに内側面から出射される光をより均一にすることができる。
【００１６】
さらに、本発明にかかる発光装置において、前記光源部材は、前記光源部材配置面に対向するように配置するのに代えて、前記光源部材配置面に対向する前記外側面に対向するように配置されていることを特徴とするものであってもよい。かかる構成を採用することによって、外側面から光が入射した後、内側面以外の面で反射した後に直接又は間接的に内側面へ到達することになる。そのため、光源の光により内側面の一部が明るく光るという現象を低減させることができるとともに内側面から出射される光をより均一にすることができる。
【００１７】
さらに、本発明にかかる発光装置において、前記導光部材は、前記内側面の上表面側又は下表面側に前記内側面の円周方向に沿って凹溝が形成されるように、断面コの字状に形成されてなり、
前記凹溝には、前記上表面方向又は前記下表面方向に対向するように前記光源部材が配置されていることを特徴とするものであってもよい。かかる構成を採用することによって、凹溝から上表面側又は下表面側に向かって光が入射した後、内側面以外の面で反射した後に直接又は間接的に内側面へ到達することになる。そのため、光源の光により内側面の一部が明るく光るという現象を低減させることができるとともに内側面から出射される光をより均一にすることができる。
【００１８】
さらに、本発明にかかる発光装置において、前記導光部材は、前記上表面、前記下表面及び前記外側面の少なくとも１面以上が斜面に形成されていることを特徴とするものであってもよい。上表面、下表面及び外側面を斜面に形成することで、外側面に入射する光の反射方向を任意に設定することができる。そのため、光が反射する方向を調整することができ、光が内側面へ直接到達する可能性を低減させることができる。そのため、光源の光により内側面の一部が明るく光るという現象を低減させることができるとともに内側面から出射される光をより均一にすることができる。
【００１９】
さらに、本発明にかかる発光装置において、前記導光部材の前記内側面側又は前記外側面側に突出して形成され、上表面側又は下表面側に前記光源部材の光を入射可能な延出部入射面を有する光入射用延出部と、を有することを特徴とするものであってもよい。かかる構成を採用することによって、光の入射領域を導光部材より外側に配置されるので、内側面から直接光が出射する可能性を低減させることができる。そのため、光源の光により内側面の一部が明るく光るという現象を低減させることができるとともに内側面から出射される光をより均一にすることができる。
【００２０】
さらに、本発明にかかる発光装置において、前記光入射用延出部は、上表面側又は下表面側に形成された前記延出部入射面と反対側が球面又は曲面に形成されていることを特徴とするものであってもよい。かかる構成を採用することによって、延出部入射面から入射された光が球面又は曲面で反射又は拡散して導光部材内に導光することができる。
【００２１】
さらに、本発明にかかる発光装置において、前記光源部材からの光を前記導光部材に誘導する誘導路を備えており、前記誘導路の進行方向は、前記導光部材の内側面以外の方向を向いていることを特徴とするものであってもよい。かかる構成を採用することによって、光の入射領域を導光部材より外側に配置されるので、内側面から光が直接出射する可能性を低減させることができる。そのため、光源の光により内側面の一部が明るく光るという現象を低減させることができるとともに内側面から出射される光をより均一にすることができる。
【００２２】
さらに、本発明にかかる発光装置において、前記導光部材は、リング状に形成されており、
前記誘導路の方向は、リング状の前記導光部材の接線方向であることを特徴とするものであってもよい。かかる構成を採用することによって、光源部材からの光がリング状の導光部材に直接に内側面へ到達することを低減することができる。そのため、光源の光により内側面の一部が明るく光るという現象を低減させることができるとともに内側面から出射される光をより均一にすることができる。
【００２３】
さらに、本発明にかかる発光装置において、前記鏡面部材及び前記ハーフミラーのそれぞれの向かい合う面のいずれか又は両方が、中央が膨らんでいるか又は凹んでいる湾曲面からなることを特徴とするものであってもよい。かかる構成を採用することによって、発光装置を視認した場合に内周面が奥に向かって周囲に広がったように見せたり、逆に中央に収束していくように見せたりすることができる。
【図面の簡単な説明】
【００２４】
【図１】図１は、第１実施形態にかかる発光装置１００の分解斜視図であり図１Ａは、発光装置１００を上方側から視た状態の分解斜視図であり、図１Ｂは、発光装置１００を下方側から視た状態を示す分解斜視図である。
【図２】図２は、第１実施形態にかかる発光装置１００の断面図及び部分拡大断面図である。
【図３】図３は、第１実施形態にかかる導光部材２０に黒色シート７０を貼着する状態示す断面図である。
【図４】図４は、第１実施形態にかかる発光装置１００を視認した状態を示す模式図である。
【図５】図５Ａは、第２実施形態にかかる光源部材１０及び導光部材２０の断面図であり、図５Ｂは、第３実施形態にかかる光源部材１０及び導光部材２０の断面図であり、図５Ｃは、第４実施形態にかかる光源部材１０及び導光部材２０の断面図である。
【図６】図６Ａは、第５実施形態にかかる光源部材１０及び導光部材２０の断面図であり、図６Ｂは、第６実施形態にかかる光源部材１０及び導光部材２０の断面図である。
【図７】図７Ａは、第７実施形態にかかる光源部材１０及び導光部材２０の断面図であり、図７Ｂは、第８実施形態にかかる光源部材１０及び導光部材２０の断面図である。
【図８】図８Ａは、第９実施形態にかかる光源部材１０及び導光部材２０の断面図であり、図８Ｂは、第１０実施形態にかかる光源部材１０及び導光部材２０の断面図である。
【図９】図９Ａは、第１１実施形態にかかる光源部材１０及び導光部材２０の断面図であり、図９Ｂは、第１２実施形態にかかる光源部材１０及び導光部材２０の断面図である。
【図１０】図１０は、第１３実施形態にかかる光源部材１０及び導光部材２０の断面図である。
【図１１】図１１は、第１４実施形態にかかる導光部材２０の斜視図及び部分拡大断面図である。
【図１２】図１２は、第１４実施形態にかかる導光部材２０のバリエーションを示す部分拡大断面図である。
【図１３】図１３は、第１５実施形態にかかる導光部材２０のバリエーションを示す斜視図である。
【図１４】図１４は、各実施形態にかかる発光装置１００のバリエーションを示す模式図である。
【図１５】図１５は、各実施形態にかかる発光装置１００のバリエーションを示す拡大断面図である。
【図１６】図１６は、各実施形態にかかる発光装置１００のバリエーションを示す斜視図である。
【図１７】図１７は、各実施形態にかかる発光装置１００の鏡面部材３０及びハーフミラー４０のバリエーションを示す斜視図である。
【発明を実施するための形態】
【００２５】
本発明にかかる発光装置１００の実施形態について、図面を参照しつつ詳細に説明する。なお、以下に説明する実施形態及び図面は、本発明の実施形態の一部を例示するものであり、これらの構成に限定する目的に使用されるものではなく、本発明の要旨を逸脱しない範囲において適宜変更することができる。各図において対応する構成要素には同一又は類似の符号が付されている。なお、本明細書において、「上面側」とは、人が視認する側をいい、「下面側」とは、上面側と反対側をいい、「上表面」とは、導光部材の上面側の面をいい、「下表面」とは、導光部材の下面側の面をいう。また、断面図において光の進行方向を表す矢印の視認性のため、断面線を省略している場合がある。「内側面」とは、人が上面からハーフミラーを介して視認可能な面であって、上面に対して垂直又は斜めに形成されている導光部材の面をいう。
【００２６】
（第１実施形態）
第１実施形態にかかる発光装置１００が図１に示されている。図１Ａは、第１実施形態にかかる発光装置１００を上方側から視た状態の分解斜視図であり、図１Ｂは、第１実施形態にかかる発光装置１００を下方側から視た状態を示す分解斜視図である。第１実施形態にかかる発光装置１００は、主として、光源部材１０、導光部材２０、鏡面部材３０、ハーフミラー４０を備えている。更に、第１実施形態にいては、これらを固定する枠５０を備えている。
【００２７】
光源部材１０は、１又は２以上の発光ダイオード（以下「ＬＥＤ１１」という。）と、基板１２とを有している。ＬＥＤ１１は、平面発光型、側面発光型、砲弾型等いずれのタイプであってもよい。好ましくは、平面発光型を使用するとよい。ＬＥＤ１１の光の色は、限定するものではなく、例えば、白色、赤色、橙色、黄色、緑色、青色、藍色又は紫色のいずれかの色若しくはそれらの色の組み合わせ等であってもよい。光源部材１０は、ＬＥＤ１１に電力を供給する電源ユニット（図示しない。）を備えていてもよい。電源ユニットとしては、外部から入力された電力をＬＥＤ１１の定格に適合させるため、降圧、直流の定電流への整流、整流後のパルス変調及びノイズの除去等を行い、ＬＥＤ１１に駆動電力を供給するため、例えば、変圧機、整流器、コンデンサ等から構成されるものが挙げられる。また、ＬＥＤは、色や明るさを制御可能に設けてもよい。この際に制御装置は、発光装置１００の外部に設けても良い。基板１２は、後述する導光部材２０の下表面２５の形状と同様に環状に形成されており、ＬＥＤ１１は、この基板１２の上面に一定間隔で基板１２の幅の半分より外周側に配置されている。すなわち、ＬＥＤ１１から出射された光が導光部材２０の外周側からのみ入射するように配置されている。
【００２８】
導光部材２０は、光が内部を通過可能な透明な樹脂で作製されており、例えば、メチルメタクリレートやエチルメタクリレート等のメタクリル樹脂の他、メチルアクリレート、エチルアクリレート等のアクリル樹脂、ポリカーボネート、ポリエチレン、ガラス等の種々の素材を用いることができる。高透過性を有する素材であれば特に限定するものではない。
【００２９】
導光部材２０は、中央に貫通孔が設けられており、内側に内側面２２を有するリング状に形成されている。導光部材２０の断面は、図２に示すように、内側面２２が上表面２３に対して垂直に配置され、下表面２５が上表面２３より広く形成された１つの角が直角の直角台形をしている。外側面は斜面に形成された外周斜面２４となっている。導光部材２０を作製するには、大きな透明な樹脂の板等から切削やレーザー等で切り出してもよいし、インジェクション等で型成形して作製してもよい。また、必ずしも一体で作製しなければならないものではなく、半分ずつ２つ成形して組み合わせたり、複数の部品に分割して成形し組み合わせたりして作製してもよい。内側面２２の表面は、平滑面で形成してもよいが、内側面２２の表面は、発光させて視認させたい部分をレーザー加工等によって梨地加工、マット加工、シボ加工等の凹凸を有する粗面に形成してもよい。第１実施形態においては、図２のＡ−Ａ’部分拡大図に示すように、内側面２２の上表面２３と下表面２５の中央に内側面２２に沿って凹部２２ａが作製されており、この凹部２２ａの底面が粗面に形成されている。内側面２２を粗面にすることによって光が効率よく拡散され、より均一に光を出射することができ内側面２２を視認しやすくすることができる。すなわち、凹部２２ａに形成することによって、凹部２２ａで光が拡散し凹部２２ａの形状に光って見えるため、凹部２２ａの模様を内側面２２に形成することができる。なお、粗面を作製するには、上述した後加工の方法だけでなく、予め粗面を成形することができるように作製しておいたインジェクション等の型を使用して導光部材２０の成形時に同時に粗面を成形してもよい。このように、内側面の一部をより強く発光させて視認させたい場合は、内側面の一部を粗面に形成すればよい。内側面全面を発光させたい場合は、内側面全体を粗面に形成すればよい。なお、凹部２２ａの形状は特に限定するものではなく、任意の溝形状を使用することができる。また、凹部２２ａの形態は、直線状の溝だけでなく、模様や文字の形状に凹部２２ａを形成してもよい。また、凹部２２ａの代わりに内側面２２から細長く連続的に伸びる突出した凸部で作製してもよい。凸部によっても同様に内側面２２に模様や文字を視認させることができる。
【００３０】
さらに、導光部材２０には、図２のＡ−Ａ拡大断面図及び図３に示すように、上表面２３及び外側斜面２４の全面には、反射部材８０を貼り付けた後に、黒色シート７１が貼着される。導光部材２０の下表面２５の光源部材１０が配置されていない部分にも同様に、反射部材８０を貼り付けた後に、黒色シート７２が貼着される。さらに、導光部材２０の内側面２２のうち、凹部２２ａ以外の視認させたくない内側面２２の部分にも同様に反射部材８０を貼り付けた後に、黒色シート７３が貼着される。反射部材８０を貼り付けることで、凹部２２以外から出射する光を再度導光部材２０内に反射させて効率よく凹部２２ａから光を出射することができる。また、本来視認させたい内側面２２の凹部２２ａ以外をできる限り黒色シート７０で覆うことで、本来視認させたくない表面が上面から視認される可能性を低減することができる。なお、黒色シートを貼着する代わりに、黒色に着色したり、塗布したりしてもよい。
【００３１】
鏡面部材３０は、図１に示すように、発光装置１００の下面側に位置し、導光部材２０から出射した光を上面側に反射するための部材であり、一方の上面側が鏡面に形成されている。鏡面部材３０としては、例えば、ガラスやプラスチックの表面に金属を蒸着させた部材であってもよいし、金属シート自体であってもよい。
【００３２】
ハーフミラー４０は、導光部材２０から出射した光又は下面側の鏡面部材３０から反射された光の一部を透過し、残りの光の一部又は全部を反射する部材である。例えば、透明なガラス又は樹脂シートの表面にごく薄い金、銀、銅、アルミニウム、クロム、ニッケル、チタン、スズ等の金属や、これらの金属を含む合金、金属化合物等を薄く蒸着又はスパッタリング等によりコーティングしたものを使用するとよい。なお、すべての光が反射と透過に二分される部材だけでなく、一部が吸収されるような部材であってもよい。また、ハーフミラー４０の表面にハードコート層等の保護層を形成してもよい。
【００３３】
枠５０は、上述した光源部材１０、導光部材２０、鏡面部材３０及びハーフミラー４０等を保持するためのものであり、図１に示すように、上側枠５０ａと下側枠５０ｂによってこれらを挟み込んで保持する。上側枠５０ａは、光源部材１０、導光部材２０、鏡面部材３０及びハーフミラー４０を収容した際に、それぞれが互いに移動しないように位置決め可能な状態で収容可能に作製されており、中央にはハーフミラー４０を介して内部を視認可能なように孔５１が設けられている。下側枠５０ｂは、上側枠５０ａに収容された光源部材１０、導光部材２０、鏡面部材３０及びハーフミラー４０等を下面側から保持するものである。枠５０によって、鏡面部材３０と光源部材１０が枠５０内の下面側に、ハーフミラー４０が上面側に配置され、鏡面部材３０とハーフミラー４０との間に空間が設けられる。この空間に導光部材２０がリング状に配置される。こうして構成された各構成部材は、図２に示すように、枠５０内に下面側から鏡面部材３０及び光源部材１０、導光部材２０及びハーフミラー４０の順に配置される。下表面２５の幅に対して半分以下の外側斜面２４側が光源部材配置面αをなし、光源部材１０のＬＥＤ１１は、光源部材配置面αに対向するように配置され、ＬＥＤ１１から出射された光が外側斜面２４に入射されるように配置される。なお、枠５０は鏡面部材３０とハーフミラー４０と一体に形成してもよい。
【００３４】
以上のように作製された発光装置１００によれば、光源部材１０を点灯させると、光が下表面２５から導光部材２０内に入射され、まず、導光部材２０の外側斜面２４側の下表面２５（α）から入射され、外側斜面２４に到達し、外側斜面２４で反射した後、直接又は間接的に内側面２２に到達し出射される。出射された光の一部は、鏡面部材３０へ到達し、他の一部は、直接にハーフミラー４０に到達する。直接にハーフミラー４０へ到達した光の一部はハーフミラー４０を透過して発光装置１００の外へと出射され、ハーフミラー４０を透過しなかった光の一部又は全部は、鏡面部材３０側へ向けて反射される。鏡面部材３０は、受けた光の略すべてを反射するため、導光部材２０から直接入射された光及びハーフミラー４０によって反射された光は、再度、ハーフミラー４０へと出射される。この光の一部がハーフミラー４０を透過し、その他の部分がハーフミラー４０によって再度反射される。同様にして、入射されたハーフミラー４０による透過及び反射と鏡面部材３０による反射とが繰り返されることにより、導光部材２０の内側面２２が、図４に示すようにあたかも発光装置１００の奥行き方向に等ピッチで連続する複数の像２２ｄとして、表示面として機能するハーフミラー４０に視覚化される。言い換えると、奥行き方向に複数の内側面２２の同一パターンがあたかも存在するかのように多重化して視覚的に認識させることができる。このように、第１実施形態の発光装置１００によれば、発光装置１００自体の厚さの何倍もの奥行きを有する像として表示させることができる。この際に、本実施形態においては、光源部材１０からの光は直接に内側面２２に向かっているのではなく、まず外側斜面２４に向かって光が入射され、外側斜面２４で反射又は拡散した光を内側面２２から出射する。そのため、ＬＥＤ１１の光が内側面２２から直接に出射し、導光部材２０の内側面２２の一部が明るく光る現象を低減することができるとともに内側面２２から出射される光をより均一にすることができる。
【００３５】
（第２実施形態）
第２実施形態にかかる発光装置１００の光源部材１０及び導光部材２０の断面図が図５Ａに示されている。第２実施形態の導光部材２０は、図５Ａに示すように、第１実施形態と同様であるが、光源部材１０が外側斜面２４に対向するように配置されている点が異なる。その他の構成は第１実施形態と同様であるため、説明を省略する。光源部材１０を外側斜面２４に対向して配置した場合であっても、光源部材１０から出射された光は、外側斜面２４から導光部材２０内に入射され、下表面２５に到達し、下表面２５で反射した後、直接又は間接に内側面２２到達し出射される。
【００３６】
第２実施形態においても、光源部材１０からの光は直接に内側面２２に向かうのではなく、まず下表面２５に向かって光が入射され、下表面２５で反射又は拡散した光を内側面２２から出射することから、ＬＥＤ１１の光が内側面２２から直接出射し、導光部材２０の内側面２２の一部が明るく光る現象を低減することができるとともに内側面２２から出射される光をより均一にすることができる。
【００３７】
（第３実施形態）
第３実施形態にかかる発光装置１００の光源部材１０及び導光部材２０が図５Ｂに示されている。第３実施形態にかかる導光部材２０は、図５Ｂに示すように、第１実施形態に対し、導光部材２０が上下逆さまに配置されており、上表面２３の一部が光源部材配置面をなし、光源部材１０が上表面２３に対向するように配置されている点が異なる。その他の構成は第１実施形態と同様である。光源部材１０を点灯させると、光が上表面２３から導光部材２０内に入射され、外側斜面２４に到達し、外側斜面２４で反射した後、直接又は間接的に内側面２２から出射される。
【００３８】
第３実施形態においても、光源部材１０からの光は直接に内側面２２に向かっているのではなく、まず外側斜面２４に向かって光が入射され、外側斜面２４で反射又は拡散した光を内側面２２から出射することから、ＬＥＤ１１の光が内側面２２から直接出射し、導光部材２０の内側面２２の一部が明るく光る現象を低減することができるとともに内側面２２から出射される光をより均一にすることができる。
【００３９】
（第４実施形態）
第４実施形態にかかる発光装置１００の光源部材１０及び導光部材２０が図５Ｃに示されている。第４実施形態にかかる導光部材２０は、図５Ｃに示すように、第１実施形態に対し、導光部材２０が上下逆さまに配置されており、外側斜面２４が光源部材配置面をなし、光源部材１０が外側斜面２４に対向するように配置されている点が異なる。その他の構成は第１実施形態と同様である。光源部材１０を点灯させると、光が外側斜面２４から導光部材２０内に入射され、上表面２３に到達し、上表面２３で反射した後、直接又は間接的に内側面２２から出射される。
【００４０】
第４実施形態においても、光源部材１０からの光は直接に内側面２２に向かっているのではなく、まず上表面２３に向かって光が入射され、上表面２３で反射又は拡散した光を内側面２２から出射することから、ＬＥＤ１１の光が内側面２２に直接あたって、導光部材２０の内側面２２の一部が明るく光る現象を低減することができるとともに内側面２２から出射される光をより均一にすることができる。
【００４１】
（第５実施形態）
第５実施形態にかかる発光装置１００の光源部材１０及び導光部材２０が図６Ａに示されている。第５実施形態にかかる導光部材２０は、図６Ａに示すように、第１実施形態における上表面２３及び下表面２５に相当する面が内側面２２から斜め上４５°の方向へ伸びており、第１実施形態における外側斜面２４に相当する面が水平に配置された水平上面２４ｂをなす。この水平上面２４ｂが光源部材配置面をなし、光源部材１０は水平上面２４ｂに対向するように配置されている。その他の構成は第１実施形態と同様である。光源部材１０を点灯させると、まず、光が水平上面２４ｂから導光部材２０内に入射され、下表面２５に到達し、下表面２５で反射した後、直接又は間接的に内側面２２から出射される。
【００４２】
第５実施形態にかかる発光装置１００によれば、光源部材１０からの光は直接に内側面２２に向かっているのではなく、まず下表面２５に向かって光が入射され、下表面２５で反射又は拡散した光を内側面２２から出射することから、ＬＥＤ１１の光が内側面２２から直接に出射し、導光部材２０の内側面２２の一部が明るく光る現象を低減することができるとともに内側面２２から出射される光をより均一にすることができる。
【００４３】
（第６実施形態）
第６実施形態にかかる発光装置１００の光源部材１０及び導光部材２０が図６Ｂに示されている。第６実施形態にかかる導光部材２０は、図６Ｂに示すように、導光部材２０の内側面２２から第１実施形態における上表面２３及び下表面２５に相当する面が斜め下４５°の方向へ伸びており、第１実施形態の外側斜面２４に相当する面が水平に配置された水平下面２４ｃをなす。水平下面２４ｃが光源部材配置面をなし、光源部材１０は、水平下面２４ｃに対向するように配置されている。その他の構成は第１実施形態と同様である。光源部材１０を点灯させると、まず、光が水平下面２４ｃから導光部材２０内に入射され、上表面２３に到達し、上表面２３で反射した後、直接又は間接的に内側面２２から出射される。
【００４４】
第６実施形態にかかる発光装置１００によれば、光源部材１０からの光は直接に内側面２２に向かっているのではなく、まず上表面２３に向かって光が入射され、上表面２３で反射又は拡散した光を内側面２２から出射することから、ＬＥＤ１１の光が内側面２２から直接出射して、導光部材２０の内側面２２の一部が明るく光る現象を低減することができるとともに内側面２２から出射される光をより均一にすることができる。
【００４５】
（第７実施形態）
第７実施形態にかかる発光装置１００の光源部材１０及び導光部材２０が図７Ａに示されている。第７実施形態にかかる導光部材２０は、図７Ａに示すように、導光部材２０の内側面２２の下方に凹溝２９が形成され、断面全体が略コの字状に形成されている。凹溝２９は内側面２２に沿って全周に設けられている。凹溝２９の下側面２９ａが光源部材配置面をなし、光源部材１０は、この凹溝２９に下表面２５に対向して配置される。なお、第７実施形態においては、内側面２２の下方に内面２６が形成される。この内面２６からも光が出射される可能性があるので、鏡面部材３０は、光源部材１１の光が漏れて直接視認することのないように、凹溝２９の上側面２９ｂより上表面２３側に配置される。これにより、内側面２２のみが視認可能となる。なお、第７実施形態においては、内面２６や下表面２５へ向かった光を効率よく内側面２２に導光するために、凹部２２a以外の任意の面に反射部材８０を設けてもよい。また、反射部材８０には、黒色シート（図示しない。）を貼着してもよい。その他の構成は第１実施形態と同様である。光源部材１０を点灯させると、まず、光が凹溝２９の下側面２９ａから導光部材２０内に入射され、下表面２５に到達し、下表面２５で反射した後、間接的に内側面２２から出射される。
【００４６】
第７実施形態にかかる発光装置１００によれば、光源部材１０からの光は直接に内側面２２に向かっているのではなく、まず下表面２５に向かって光が入射され、下表面２５で反射又は拡散した光を内側面２２から出射することから、ＬＥＤ１１の光が内側面２２から直接出射して、導光部材２０の内側面２２の一部が明るく光る現象を低減することができるとともに内側面２２から出射される光をより均一にすることができる
【００４７】
（第８実施形態）
第８実施形態にかかる発光装置１００の光源部材１０及び導光部材２０が図７Ｂに示されている。第８実施形態にかかる導光部材２０は、図７Ｂに示すように、第７実施形態の導光部材２０の断面に対し、内側面２２下側の角、外側面２４ａ側の上下の角が斜めに切り欠いてある点が異なる。その他の構成は第７実施形態と同様である。なお、第８実施形態においても、内側面２２の下方に形成される内斜面２６ａが形成され、この内斜面２６ａからも光が出射される可能性があるので、鏡面部材３０は、光源部材１１の光が漏れて直接視認することのないように、凹溝２９の上側面２９ｂより上表面２３側に配置される。これにより、内側面２２のみが視認可能となる。なお、第８実施形態においては、内斜面２６ａへ向かった光を効率よく内側面２２に導光するために、凹部２２a以外の任意の面に反射部材８０を設けてもよい。また、反射部材８０には、黒色シート（図示しない。）を貼着してもよい。光源部材１０を点灯させると、まず、光が凹溝２９の下側面２９ａから導光部材２０内に入射され、内斜面２６ａに到達し、内斜面２６ａで反射した後、間接的に内側面２２から出射される。なお、本第７実施形態においては、内側面２２下側の角、外側面２４ａ側の上下の角の三箇所が切り欠いてあるが、いずれか一箇所又は二箇所であってもよい。また、切り欠く大きさ任意に設定することができる。
【００４８】
第８実施形態にかかる発光装置１００によれば、光源部材１０からの光は直接に内側面２２に向かっているのではなく、まず内斜面２６ａに向かって光が入射され、内斜面２６ａで反射又は拡散した光を内側面２２から出射することから、ＬＥＤ１１の光が内側面２２から直接出射して、導光部材２０の内側面２２の一部が明るく光る現象を低減することができるとともに内側面２２から出射される光をより均一にすることができる。
【００４９】
（第９実施形態）
第９実施形態にかかる発光装置１００の光源部材１０及び導光部材２０が図８Ａに示されている。第９実施形態にかかる発光装置１００は、図８Ａに示すように、導光部材２０の内側面２２の下方に一段外側面２４ａ側へ凹んで配置されている内面２７を有している。この内面２７が光源部材配置面をなし、光源部材１０は、内面２７に対向するように配置されている。鏡面部材３０は、光源部材１１の光が漏れて直接視認することのないように、内面２７の上側面２９ｂより上表面２３側に配置される。その他の構成は第１実施形態と同様である。また、反射部材８０及び黒色シート（図示しない。）は任意に配置することができる。光源部材１０を点灯させると、まず、光が内面２７から導光部材２０内に入射され、下表面２５又は外側面２４ａに到達し、下表面２５又は外側面２４ａで反射した後、間接的に内側面２２から出射される。
【００５０】
第９実施形態にかかる発光装置１００によれば、光源部材１０からの光は直接に内側面２２に向かっているのではなく、まず下表面２５又は外側面２４ａに向かって光が入射され、下表面２５又は外側面２４ａで反射又は拡散した光を内側面２２から出射することから、ＬＥＤ１１の光が内側面２２から直接出射して、導光部材２０の内側面２２の一部が明るく光る現象を低減することができるとともに内側面２２から出射される光をより均一にすることができる。
【００５１】
（第１０実施形態）
第１０実施形態にかかる発光装置１００の光源部材１０及び導光部材２０が図８Ｂに示されている。第１０実施形態にかかる発光装置１００は、図８Ｂに示すように、第９実施形態に対し、外側面２４ａの上下の角が斜めに切り欠かれ、上外斜面２４ｄ及び上外斜面２４ｅが形成されている点が異なる。面２９ｂより上表面２３側に配置される。その他の構成は第１実施形態と同様である。鏡面部材３０は、光源部材１１の光が漏れて直接視認することのないように、内面２７の上側面２９ｂより上表面２３側に配置される。また、反射部材８０及び黒色シート（図示しない。）は任意に配置することができる。その他の点は第９実施形態と同様である。光源部材１０を点灯させると、まず、光が内面２７から導光部材２０内に入射され、下外斜面２４ｅに到達し、下外斜面２４ｅで反射した後、間接的に内側面２２から出射される。
【００５２】
第１０実施形態にかかる発光装置１００によれば、光源部材１０からの光は直接に内側面２２に向かっているのではなく、まず下外斜面２４ｅに向かって光が入射され、下外斜面２４ｅで反射又は拡散した光を間接的に内側面２２から出射することから、ＬＥＤ１１の光が内側面２２から直接出射して、導光部材２０の内側面２２の一部が明るく光る現象を低減することができるとともに内側面２２から出射される光をより均一にすることができる。
【００５３】
（第１１実施形態）
第１１実施形態にかかる発光装置１００の光源部材１０及び導光部材２０が図９Ａに示されている。第１１実施形態にかかる発光装置１００は、図９Ａに示すように、第９実施形態に対し、外側面２４ａの下方が光源部材配置面をなし、光源部材１０は、外側面２４ａに下方の面に対向するように配置されている。鏡面部材３０は、光源部材１１の光が漏れて直接視認することのないように、内面２７の上側面２９ｂより上表面２３側に配置される。また、反射部材８０及び黒色シート（図示しない。）は任意に配置することができる。その他の点は第９実施形態と同様である。光源部材１０を点灯させると、まず、光が外側面２４ａから導光部材２０内に入射され、内面２７に到達し、内面２７で反射した後、間接的に内側面２２から出射される。
【００５４】
第１１実施形態にかかる発光装置１００によれば、光源部材１０からの光は直接に内側面２２に向かっているのではなく、まず内面２７に向かって光が入射され、内面２７で反射又は拡散した光を間接的に内側面２２から出射することから、ＬＥＤ１１の光が内側面２２から直接出射して、導光部材２０の内側面２２の一部が明るく光る現象を低減することができるとともに内側面２２から出射される光をより均一にすることができる。
【００５５】
（第１２実施形態）
第１２実施形態にかかる発光装置１００の光源部材１０及び導光部材２０が図９Ｂに示されている。第１２実施形態にかかる発光装置１００は、図９Ｂに示すように、第９実施形態に対し、内面２７が斜面に形成されており、この斜面に形成された内面２７が光源部材配置面をなし、光源部材１０は、内面２７に対向するように配置されている。鏡面部材３０は、光源部材１１の光が漏れて直接視認することのないように、内面２７の上側面２９ｂより上表面２３側に配置される。また、反射部材８０及び黒色シート（図示しない。）は任意に配置することができる。その他の構成は第９実施形態と同様である。光源部材１０を点灯させると、まず、光が内面２７から導光部材２０内に入射され、外側面２４ａに到達し、外側面２４ａで反射した後、間接的に内側面２２から出射される。
【００５６】
第１２実施形態にかかる発光装置１００によれば、光源部材１０からの光は直接に内側面２２に向かっているのではなく、まず外側面２４ａに向かって光が入射され、外側面２４ａで反射又は拡散した光を内側面２２から出射することから、ＬＥＤ１１の光が内側面２２から直接出射して、導光部材２０の内側面２２の一部が明るく光る現象を低減することができるとともに内側面２２から出射される光をより均一にすることができる。
【００５７】
（第１３実施形態）
第１３実施形態にかかる発光装置１００の光源部材１０及び導光部材２０が図１０に示されている。第１３実施形態にかかる発光装置１００は、図１０に示すように、第１２実施形態にかかる導光部材２０の上下を逆さまにし、かつ断面方向から見た場合に内面２７と外側面２４ａとが交差するように形成されている。この内面２７が光源部材配置面をなし、光源部材１０は、内面２７に対向するように配置されている。その他の構成は第１２実施形態と同様である。光源部材１０を点灯させると、まず、光が内面２７から導光部材２０内に入射され、外側面２４ａに到達し、外側面２４ａで反射した後、間接的に内側面２２から出射される。
【００５８】
第１３実施形態にかかる発光装置１００によれば、光源部材１０からの光は直接に内側面２２に向かっているのではなく、まず外側面２４ａに向かって光が入射され、下表面２５又は外側面２４ａで反射又は拡散した光を内側面２２から出射することから、ＬＥＤ１１の光が内側面２２から直接出射して、導光部材２０の内側面２２の一部が明るく光る現象を低減することができるとともに内側面２２から出射される光をより均一にすることができる。
【００５９】
（第１４実施形態）
第１４実施形態にかかる光源部材１０及び導光部材２０が図１１に示されている。図１１Ａは、光源部材１０及び導光部材２０の斜視図であり、図１１Ｂは、図１１Ａの断面図である。第１４実施形態にかかる導光部材２０は、中央に貫通孔が設けられており、内側に内側面２２を有するリング状に形成されている。導光部材２０の断面は、図１１ＢのＢ−Ｂ断面図に示すように、正方形をしている。さらに４方において、略１／４の球状が外周側に突出するように下方側面が球面状の延出球面２８ｂに設けられた光入射延出部２８が形成されている。光入射延出部２８は、図１１ＢのＣ−Ｃ断面図に示すように、延出部入射面２８ａがリング状部の上表面２３と同一平面を有しており、この延出部入射面２８ａが光源部材配置面をなし、光源部材１０は、延出部入射面２８ａに対向するように配置されている。光源部材１０を点灯させると、まず、光が延出部入射面２８ａから導光部材２０内に入射され、延出球面２８ｂ及び下表面２５に到達し、延出球面２８ｂ及び下表面２５で反射した後、間接的に内側面２２から出射される。
【００６０】
第１４実施形態にかかる発光装置１００によれば、光源部材１０からの光は直接に内側面２２に向かっているのではなく、まず延出球面２８ｂ及び下表面２５に向かって光が入射され、延出球面２８ｂ及び下表面２５で反射又は拡散した光を内側面２２から出射することから、ＬＥＤ１１の光が内側面２２から直接出射して、導光部材２０の内側面２２の一部が明るく光る現象を低減することができるとともに内側面２２から出射される光をより均一にすることができる。
【００６１】
なお、第１４実施形態において、図１２Ａに示すように、光源部材１０を少し外周側に向けて配置してもよい。さらに、図１２Ｂに示すように、光源部材１０を少し外周側に向けて配置するとともに、延出部上表面２８ａを斜面にしてもよい。このような構成を採用することで、より内側面２２側の一部が明るく光る現象を低減することができるとともに内側面２２から出射される光をより均一にすることができる。
【００６２】
（第１５実施形態）
第１５実施形態にかかる光源部材１０及び導光部材２０が図１３に示されている。図１３は、光源部材１０及び導光部材２０の斜視図である。第１５実施形態にかかる導光部材２０は、中央に貫通孔が設けられており、内側に内側面２２を有するリング状に形成されている。導光部材２０の断面は、正方形に形成されている。さらに４方において、リング状の前記導光部材の接線方向と同様の進行方向を有する誘導路２８ｃを有している。誘導路２８ｃの端面が光源部材配置面をなし、光源部材１０は、誘導路２８ｃの端面に対向するように配置されている。光源部材１０を点灯させると、まず、光が誘導路２８ｃの端面から導光部材２０内に入射され、外側面２４ａに到達し、外側面２４ａで反射した後、間接的に内側面２２から出射される。
【００６３】
第１５実施形態にかかる発光装置１００によれば、光源部材１０からの光は直接に内側面２２に向かっているのではなく、まず外側面２４ａに向かって光が入射され、外側面２４ａで反射又は拡散した光を内側面２２から出射することから、ＬＥＤ１１の光が内側面２２から直接出射して、導光部材２０の内側面２２の一部が明るく光る現象を低減することができるとともに内側面２２から出射される光をより均一にすることができる。
【００６４】
なお、本発明は上述した実施形態に何ら限定されることはなく、本発明の技術的範囲に属する限り種々の態様で実施し得ることはいうまでもない。
【００６５】
上述した実施形態において、内側面２２はハーフミラーに対して垂直面となるように形成したが、内側面２２がハーフミラーに対して斜面に形成してもよい。かかる構成を採用すれば、内側面２２をハーフミラー側又は鏡面部材３０側に向けて配置することができるので、内側面２２の像がより鮮明に見える。
【００６６】
また、上述した実施形態において、導光部材２０と鏡面部材３０との間及び導光部材２０とハーフミラー４０とはそれぞれ接するように配置したが、図１５に示すように、導光部材２０と鏡面部材３０との間及び導光部材２０とハーフミラー４０との間に隙間１を開けたり、他の部材２を入れたりしても良い。他の部材としては、板材を配置してもよい。他の部材の材料は特に限定するものではないが、導光部材２０と同様の素材、例えば高透過性を有するメタクリル樹脂又はアクリル樹脂を使用するとよい。この場合に、他の部材２の内面側に黒色シートを配置するか又は黒色に着色すれば、他の部材２が視認される可能性を低減することができる。かかる構成を採用することによって、隙間１又は他の部材２の部分は、上面から視た際には、暗部として視認することができる。そのため、隙間１又は他の部材２を形成することで、導光部材２０の内側面２２の間に暗く映る暗部を形成することができる。よって、内側面２２と隙間１又は他の部材２とにより明暗の縞模様状に繰り返した像を視認させることができる。
【００６７】
さらに、上述した各実施形態において、ハーフミラー４０の上表面に表示情報（例えば、ＡＢＣＤ）が記載されていてもよい。ハーフミラー４０に表示情報（ＡＢＣＤ）を設けることで、図１４に示したように、上述した効果に加えて、模様又は表示情報が上表面に浮いているように視認される。
【００６８】
（第７実施形態）
さらに、上述した各実施形態において、図１６に示したように、鏡面部材３０の上面に立体的な表示情報（例えば、ＡＢＣＤ）を有する表示部材９０が設けてもよい。この立体的な表示部材９０は、透明な部材であってもよいし、不透明な部材であってもよい。好ましくは特殊な蛍光塗料が配合された樹脂を使用し、外部からの光を吸収して、端面から光を放出する集光樹脂を使用した表示部材９０を使用するとよい。
【００６９】
このような立体的な表示部材９０を鏡面部材３０に配置することで、立体的な文字情報が奥行き方向へ連続して重なって見える。
【００７０】
なお、本発明は上述した各実施形態に何ら限定されることはなく、本発明の技術的範囲に属する限り種々の態様で実施し得ることはいうまでもない。
【００７１】
上述した各実施形態においては、円形のリング状に導光部材２０を作製したものを用いて説明したが、四角形の板状導光板の中央に相似形の四角形の大きな貫通孔２１が設けられ、この貫通孔２１によって内側面２２を有するリング状の導光部材２０であってもよいし、三角形や楕円形等であってもよい。
【００７２】
また、上述した各実施形態においては、鏡面部材３０及びハーフミラー４０は、平面であることを想定して説明したが、鏡面部材３０及びハーフミラー４０のいずれか又は両方の中央が緩やかに湾曲している湾曲面を有するものを使用してもよい。湾曲には、レンズの表面のように中央が膨らみ又は凹んでいる形態であってもよいし、板材の両側から曲げて円柱の一部の面のような形態であってもよい。鏡面部材３０とハーフミラー４０との湾曲方向の組み合わせは自由であり、鏡面部材３０及びハーフミラー４０のいずれも向かい合う面（鏡面部材３０の下面側とハーフミラー４０の上面側）が膨らんでいる場合又は凹んでいる場合、鏡面部材３０の下面側が膨らんでいてハーフミラー４０の上面側が凹んでいる場合（図１７参照）、鏡面部材３０の下面側が凹んでいてハーフミラー４０の上面側が膨らんでいる場合、鏡面部材３０の下面側が膨らんでいるか又は凹んでいる場合であってハーフミラー４０の上面側が平面の場合、鏡面部材３０の下面側が平面であってハーフミラー４０の上面側が凹んでいるか又は膨らんでいる場合の組み合わせが考えられる。これらの組み合わせによって、発光装置１００を視認した場合に内面２２が奥に向かって周囲に広がったように見せたり、逆に中央に収束していくように見せたりすることができる。    
【００７３】
さらに、上述した各実施形態においては、別途作製された枠５０に鏡面部材３０及びハーフミラー４０等を保持するものとしたが、発光装置１００が取り付けられる物体自体に組み付けて鏡面部材３０及びハーフミラー４０等の発光装置１００を物体と一体としてもよい。例えば、自動車の内装に発光装置１００を取り付けたい場合には、ドアトリム、ダッシュボード等に直接発光装置１００を組み付けて一体に形成するといった具合である。
【産業上の利用可能性】
【００７４】
上述した実施の形態で示すように、発光装置として利用することができる。
【符号の説明】
【００７５】
１０…光源部材、１１…ＬＥＤ、１２…基板、２０…導光部材、２１…貫通孔、
２２…内側面、２２ａ…凹部、２２ｄ…像、２３…上表面、２３ａ…延出部上表面、
２４…外側斜面、２４ａ…外側面、２４ｂ…水平上面、２４ｃ…水平下面、
２４ｄ…上外斜面、２４ｅ…上外斜面、２５…下表面、２６…内面、
２６ａ…内斜面、２７…内面、２８…光入射延出部、２８ａ…延出部入射面、
２８ｂ…延出球面、２８ｃ…誘導路、２９…凹溝、２９ａ…下側面、
３０…鏡面部材、４０…ハーフミラー、５０…枠、５０ａ…上側枠、
５０ｂ…下側枠、５１…孔、７０、７１、７２、７３、７４、７５…黒色シート、
８０…反射部材、９０…表示部材、１００…発光装置
【図１】
2015034949.tif 000003
【図２】
2015034949.tif 000004
【図３】
2015034949.tif 000005
【図４】
2015034949.tif 000006
【図５】
2015034949.tif 000007
【図６】
2015034949.tif 000008
【図７】
2015034949.tif 000009
【図８】
2015034949.tif 000010
【図９】
2015034949.tif 000011
【図１０】
2015034949.tif 000012
【図１１】
2015034949.tif 000013
【図１２】
2015034949.tif 000014
【図１３】
2015034949.tif 000015
【図１４】
2015034949.tif 000016
【図１５】
2015034949.tif 000017
【図１６】
2015034949.tif 000018
【図１７】
2015034949.tif 000019